(57)【要約】【課題】  固着面を複数有し、壁面、柱、窓枠などあらゆる場所へ容易に取り付け可能であって、特に幅狭の被取付面にも強固に固着可能で且つ美観にも優れた汎用ブラケットを提供する。【解決手段】  汎用ブラケット１Ａは、壁面、柱、窓枠などの被取付面５への固着面を有する固着部２と前記固着部２に突設される腕部４と前記腕部４の先端に形成された支持部３とからなり、前記固着部２が柱体であるとともに外側面において軸線に沿って形成される四角形の平面よりなる複数の固着面２２ａ，２２ｂ，２２ｃを有し、少なくとも１つの固着面を選択して被取付面５に当接させて固着する。【選択図】図２
2016180263.tif 000002
【特許請求の範囲】
【請求項１】
壁面、柱、窓枠などの被取付面への固着面を有する固着部と前記固着部に突設される腕部と前記腕部の先端に形成された支持部とからなり、前記固着部が柱体であるとともに外側面において軸線に沿って形成される四角形の平面よりなる複数の固着面を有し、少なくとも１つの固着面を選択して被取付面に当接させて固着することを特徴とする汎用ブラケット。
【請求項２】
壁面、柱、窓枠などの被取付面への固着面を有する固着部と前記固着部に突設される腕部と前記腕部の先端に形成された支持部とからなり、前記固着部は四角柱であるとともに前記腕部が突設された突設面を除く３面の固着面を有し、前記突設面には対向する固着面まで貫通する正面側ネジ挿通孔が、前記突設面に隣接する一方の固着面には対向する他方の固着面まで貫通する側面側ネジ挿通孔が前記正面側ネジ挿通孔と交差連通して形成され、前記正面側ネジ挿通孔あるいは側面側ネジ挿通孔のいずれかに取付ビスを挿通して螺締することにより固着部を被取付面に固着することを特徴とする汎用ブラケット。
【請求項３】
壁面、柱、窓枠などの被取付面に当接して固着される固着面を有する固着部と前記固着部に突設される腕部と前記腕部の先端に形成された支持部とからなり、前記固着部は四角柱であるとともに前記腕部が突設された突設面を除く３面の固着面を有し、前記突設面には対向する固着面まで貫通する正面側ネジ挿通孔が、前記突設面に隣接する一方の固着面には対向する他方の固着面まで貫通する側面側ネジ挿通孔が前記正面側ネジ挿通孔と連通しない位置に形成され、前記正面側ネジ挿通孔と側面側ネジ挿通孔の双方に、あるいはいずれか一方に取付ビスを挿通して螺締することにより固着部を被取付面に固着することを特徴とする汎用ブラケット。
【請求項４】
前記正面側ネジ挿通孔および側面側ネジ挿通孔が、前記固着部の軸線方向に１列に形成されていることを特徴とする請求項２または３記載の汎用ブラケット。
【請求項５】
前記支持部が、前記固着部の軸線と平行方向あるいは直交方向に凹んだフック状であることを特徴とする請求項１，２，３または４記載の汎用ブラケット。
【請求項６】
前記支持部がＶ字形に凹んだフック状であることを特徴とする請求項１，２，３，４または５記載の汎用ブラケット。
【請求項７】
前記支持部の凹みの底部に前記支持部の裏面から貫通するネジ挿通孔が形成され、前記支持部に載置される架設物を前記ネジ挿通孔に裏面から取付ビスを挿通して螺着することにより固定することを特徴とする請求項１，２，３，４，５または６記載の汎用ブラケット。
【請求項８】
前記支持部の先端と前記腕部の上面とが同一平面上に位置し、板状の架設物を前記支持部の先端と前記腕部の上面により支持することを可能とした請求項１，２，３，４，５，６または７記載の汎用ブラケット。
【発明の詳細な説明】
【技術分野】
【０００１】
本発明は、壁面、柱、窓枠その他の躯体あるいは家具などの被取付面に設置される汎用ブラケットに関する。
【背景技術】
【０００２】
従来、家屋の壁面に取り付けるブラケットであって、例えばパイプや木材と言った棒状または板状の架設物を固定して、物掛けにしたり、あるいは手摺りとして利用するブラケットは先行技術文献を提示するまでもなく、広く知られている。
【０００３】
そうした従来周知のブラケットの大半は、正面から例えば壁面などの被取付面にビス止めして取り付けるものであって、取付場所に適合する形状のブラケットを用意することが必要であった。
【０００４】
そこで、複数の固着面を有し、施工者によって適切な固着面を選択し被取付面に固着する事が可能なブラケットが例えば特開２００２−１０６１３８号公報（特許文献１）に開示されている。
【０００５】
図１４（ａ）に示すように、このブラケット１ａは６面を閉止した箱型状に形成され、手摺りバー２ａをバー固定ネジ２１ａで連結する連結面片３ａ、前記連結面片３ａに対向する対向面片４ａ、下面片５ａ、上面片６ａ、左側面片７ａ、右側面片８ａの６片からなる。
【０００６】
そして、前記各片には施工ネジ９ａを締結するための施工孔と、対向する片の前記施工孔に入れた前記施工ネジ９ａを回す際にドライバーを入れるためのドライバー孔とが一対で二組ずつそれぞれ形成されている。
【０００７】
なお、前記手摺りバー２ａを前記バー固定ネジ２１ａによって連結するため、前記連結面片３ａには施工孔３１ａが、前記対向面片４ａにはドライバー孔４１ａが設けられている。
【０００８】
このブラケット１ａによれば、前記対向面片４ａ、前記下面片５ａ、前記上面片６ａ、前記左側面片７ａ、前記右側面片８ａの何れかを選択して所望の被取付面に対して適切な施工方法を現場で施工者が選択可能である。
【０００９】
しかし、ブラケット１ａの表面からドライバーの先端を前記各ドライバー孔に通過させ、対向する位置の前記各施工孔に挿通させた前記施工ネジ９ａを被取付面に螺締しなければならず、前記施工ネジ９ａがブラケット１ａ内部に脱落する可能性もあるなど施工性が悪く、更に、前記各ドライバー孔と前記各施工孔は対向する面に一対に設ける必要があり、必要面積が増加し、また手摺りバーを取り付ける連結面片３ａも一定の面積を要するため、全体として大型化する。
【００１０】
更に、例えば塗り壁を有する和室においては、壁面に直接釘・ネジによって金物を取り付ける事が困難なため、金物を取り付ける場合は柱等を用いる事となるが、従来周知のブラケットあるいは特許文献１に記載のブラケットを取り付ける場合は、被取付面にある程度の面積が必要であって、比較的幅狭である前記柱等の側面に固定することは出来ず不便であった。
【００１１】
その上、このブラケット１ａにおいては手摺りバー２ａが連結面片３ａに接続されているものであって、その位置および径は連結筒部３２ａによってほぼ定められてしまうか（図１４（ｂ）参照）、或いは前記連結筒部３２ａが無い場合はバー固定ネジ２１ａによって直接連結面片３ａに取り付けられるため、手摺りバー２ａが長尺になれば十分な取付強度を得る事ができないという問題もある。
【００１２】
次に、真壁造りの部屋の壁面に手摺りを取り付けるものとして例えば特開２００５−３３６７８８号公報（特許文献２）に記載された発明（図１５参照）のように柱１Ａ，１Ａの側面を用いて金具２ｂ，２ｂを固着し、その金具２ｂに取付け下地材３ｂを装着し、さらにその取付け下地材３ｂに手摺り４ｂを取り付けて手摺りを使用できる手摺り取付構造に関するものが知られている。
【００１３】
だが、この特許文献２に記載の発明においては設置場所は柱等の対向する間でなければならず、その上部品点数が多く施工時に煩雑であるなどの問題があった。
【００１４】
しかも、前記金具２ｂ，２ｂを介して取付下地材３ｂを固定するため壁面方向に留め具５ｂ，５ｂを打設することなどから、壁面６ｂを損傷する可能性があり、取り外した際に損傷箇所が露出し美観を損ねてしまう可能性もある。
【先行技術文献】
【特許文献】
【００１５】
【特許文献１】特開２００２−１０６１３８号公報
【特許文献２】特開２００５−３３６７８８号公報
【発明の概要】
【発明が解決しようとする課題】
【００１６】
本発明は固着面を複数有し、取り付けが容易であって、壁面、柱、窓枠などあらゆる場所への取り付けに対応でき、特に幅狭の被取付面にも強固に固着可能で且つ美観にも優れ、棒状または板状の架設物を戴置し固定できるのみならず、単独でフックとしても利用可能な汎用ブラケットを提供することを課題とする。
【課題を解決するための手段】
【００１７】
前記課題を解決するためになされた本発明である汎用ブラケットは、壁面、柱、窓枠などの被取付面への固着面を有する固着部と前記固着部に突設される腕部と前記腕部の先端に形成された支持部とからなり、前記固着部が柱体であるとともに外側面において軸線に沿って形成される四角形の平面よりなる複数の固着面を有し、少なくとも１つの固着面を選択して被取付面に当接させて固着することを特徴とする。
【００１８】
本発明によれば、柱体である固着部の外側面に形成された前記複数の固着面から、その内少なくとも１つの固着面を選択して前記被取付面に当接させて固着する構成としたため、多様な被取付面に対して適切な向きに設置可能とする事ができる。
【００１９】
また本発明において、前記突設面には対向する固着面まで貫通する正面側ネジ挿通孔が、前記突設面に隣接する一方の固着面には対向する他方の固着面まで貫通する側面側ネジ挿通孔が前記正面側ネジ挿通孔と交差連通して形成されている場合には、前記固着面のうちいずれか１つを選択して、ネジによる締結で被取付面に固着する事が可能となるため、多様な被取付面に対して適切な向きで、簡易かつ強力に固定する事ができる。
【００２０】
更に、前記側面側ネジ挿通孔と前記正面側ネジ挿通孔が連通しない位置に形成されている場合には、前記固着面のうちいずれか１つを選択して、ネジによる締結で被取付面に固着する事が可能となるのみでなく、隣接する２つの固着面の両方を被被取付面に当接させ前記正面側ネジ挿通孔と前記側面側ネジ挿通孔の双方に止めネジを挿通させて２方向から締結することによって、更に強力に固定する事ができる。
【００２１】
このとき、前記正面側ネジ挿通孔および側面側ネジ挿通孔が、前記固着部の軸線方向に１列に形成されている場合は柱体である前記固着部を各ネジ挿通孔の幅を限度としてその幅に応じて細くする事が可能であり、十分な強度を保ちつつも全体として細幅で小型な汎用ブラケットを提供する事ができ、更に設置上の利便性が高い。
【００２２】
そして本発明において、前記支持部が前記固着部の軸線と平行方向あるいは垂直方向に凹んだフック状である場合、棒状の架設物を戴置して固定できるのみならず、かばんなどの紐を掛けて固定する事もできる。
【００２３】
更に、前記支持部がＶ字形に凹んだフック状である場合は、前記棒状の架設物は細径から比較的太径まで幅広く対応して安定した姿勢で戴置して固定できる。
【００２４】
その上、前記支持部の凹みの底部に前記支持部の裏面から貫通するネジ挿通孔が形成されている場合は、前記支持部に戴置した架設物を取付ビスによって固定する事ができ、前記架設物が支持部から脱落する恐れが無くなる。
【００２５】
更にまた、前記支持部の先端と前記腕部の上面とが同一平面上に位置する場合は、板状の架設物も前記支持部の先端と前記腕部の上面で支持する事で安定して戴置可能であるため特に望ましい。
【発明の効果】
【００２６】
本発明によると、固着面を複数有する事で被取付面への取付方向を施工者が選択可能であり便利であるばかりか、細幅で小型に形成する事が可能であって、従来は取付が困難であった柱の側面や窓枠などの幅狭の突出部にも取り付け可能なため、物掛けや手摺り等、使用者の用途に合わせた使用方法が選択できる汎用ブラケットを提供する事ができる。
【図面の簡単な説明】
【００２７】
【図１】本発明の好ましい実施の形態における汎用ブラケットを示す（ａ）斜視図および（ｂ）異なる角度の斜視図。
【図２】図１に示す実施の形態における汎用ブラケットの取付方法を示す、（ａ）第一固着面を用いて被取付面に固定する場合の説明図、（ｂ）第二固着面を用いて被取付面に固定する場合の説明図、（ｃ）第一固着面および第三固着面を用いて被取付面に固定し、支持部に棒状の架設物を取り付けた状態を示す説明図。
【図３】図２（ｃ）の縦断面図。
【図４】図１に示す実施の形態における汎用ブラケットの使用状態を示す、（ａ）支持部に棒状の架設物を戴置した状態を示す説明図、（ｂ）支持部に棒状の架設物を戴置して結束バンドで固定した状態を示す説明図、（ｃ）支持部に手提げ袋の手提げ紐を掛けた状態を示す説明図。
【図５】図１に示す実施の形態における汎用ブラケットを家屋の柱である被取付面に固定した使用状態を示す説明図。
【図６】図１に示す実施の形態における汎用ブラケットを家屋の窓枠である被取付面に固定した使用状態を示す説明図。
【図７】図１に示す実施の形態における汎用ブラケットの支持部の先端と腕部の上面とが同一平面上に位置し、板状の架設物を前記支持部の先端と前記腕部の上面により支持することを可能とした場合を示す縦断面図。
【図８】図７に示す汎用ブラケットを家屋の柱である被取付面に固定した使用状態を示す説明図。
【図９】本発明の第２実施形態における汎用ブラケットを示す（ａ）斜視図および（ｂ）異なる角度の斜視図。
【図１０】図９に示す汎用ブラケットの第一固着面および第三固着面を用いて被取付面に固定し、支持部に棒状の架設物を取り付けた状態を示す説明図。
【図１１】本発明の第２実施形態における汎用ブラケットを示す（ａ）斜視図および（ｂ）異なる角度の斜視図。
【図１２】本発明の第３実施形態における汎用ブラケットを示す（ａ）斜視図および（ｂ）異なる角度の斜視図。
【図１３】本発明の第４実施形態における汎用ブラケットを示す（ａ）斜視図および（ｂ）異なる角度の斜視図。
【図１４】本発明の第５実施形態における汎用ブラケットを示す（ａ）斜視図および（ｂ）異なる角度の斜視図。
【図１５】従来例を示す説明図。
【図１６】異なる従来例を示す説明図。
【発明を実施するための形態】
【００２８】
以下、本発明の実施の形態について図面を参照して詳細に説明する。
【００２９】
図１および図２は本発明における汎用ブラケット１Ａの好ましい実施の形態を示すものである。汎用ブラケット１Ａは、被取付面５に沿って当接して固定するための四角柱形状の固着部２と、前記固着部２から突設される先端に支持部３を形成した腕部４とからなり、前記固着部２、支持部３および腕部４は例えば金属や樹脂などにより一体的に形成されている。
【００３０】
前記固着部２は、前記腕部４を突出させた突出面２１の裏面を第一固着面２２ａとし、前記突出面２１の両長辺に隣接する両側面を第二固着面２２ｂ，第三固着面２２ｃとする。
【００３１】
前記固着部２には前記突出面２１から第一固着面２２ａまで貫通し、前記突出面２１側が大径となる皿穴形状を有する固着部２の軸線方向に１列に並び前記腕部４の上下に配置された正面側ネジ挿通孔２３ａ，２３ａと、前記第二固着面２２ｂと対向する固着面である第三固着面２２ｃを貫通し、前記第二固着面２２ｂ側および前記第三固着面２２ｃ側がそれぞれ大径となる様に両端が皿穴形状を有する固着部２の軸線方向に１列に並んだ側面側ネジ挿通孔２３ｂ，２３ｂとが形成されている。
【００３２】
前記正面側ネジ挿通孔２３ａ，２３ａは前記突出面２１側から止めネジ７１，７１を挿通させて前記固着面２２ａを被取付面５に固定可能であり、前記側面側ネジ挿通孔２３ｂ，２３ｂは前記第二固着面２２ｂおよび前記第三固着面２２ｃのいずれか側を選択し、選択した側の固着面から止めネジ７１，７１を挿通させて、選択しなかった側の固着面を被取付面５に固定可能である。
【００３３】
この時、前記正面側ネジ挿通孔２３ａ，２３ａと、前記側面側ネジ挿通孔２３ｂ，２３ｂはいずれも連通しない。
【００３４】
このように、前記正面側ネジ挿通孔２３ａ，２３ａと、前記側面側ネジ挿通孔２３ｂ，２３ｂとを固着部２の軸線方向にそれぞれ１列に並ぶように形成する事によって、前記各ネジ挿通孔の配置の仕方によって必然的に定まる前記固着部２の幅Ｗおよび厚みＴを短く形成する事ができて前記固着部２を細長の形状に形成する事ができる。
【００３５】
また、前記固着部２の前記第一固着面２２ａには、前記第一固着面２２ａに開口した空間２４が形成されている。これは、例えば鋳造により汎用ブラケット１Ａを形成する場合において必要な強度を確保しつつ全体として体積および重量を抑えるために有効であるが、前記空間２４を設けない場合でも問題無く本実施の形態を実施可能であり必須のものではない。
【００３６】
前記支持部３は、前記固着部２の軸線と平行方向にＶ字形に凹んだ四角柱状の形状であり、Ｖ字形の前記支持部３の上面である支持面３１の凹みの底部に前記支持部３の下面３２から貫通形成されて前記下面３２側が大径となる皿穴形状を有し、取付ビス７２を前記下面３２側から挿通させ締結可能としたネジ挿通孔３３を有する。
【００３７】
図２は汎用ブラケット１Ａの固着部２を被取付面５に固定する際に前記被取付面５の形状に合った固着面を適宜選択して設置する事が可能である事を示す図である。
【００３８】
図２（ａ）は被取付面５の表面５１が第一固着面２２ａと平行である場合を示す。この場合は、前記正面側ネジ挿通孔２３ａ，２３ａに挿通させた止めネジ７１，７１を螺締することで前記第一固着面２２ａを前記表面５１に固定することができる。
【００３９】
図２（ｂ）は被取付面５の側面５２が第三固着面２２ｃと平行である場合を示す。この場合は、前記側面側ネジ挿通孔２３ｂ，２３ｂに挿通させた止めネジ７１，７１を螺締することで前記第三固着面２２ｃを前記側面５２に固定することができる。
【００４０】
図２（ｃ）は被取付面５の表面５１および側面５２が略直角に交差する交差部５３に固着部２を固定し、支持部３に棒状の架設物６を固定した場合を示す。
【００４１】
この場合、前記第一固着面２２ａおよび前記第三固着面２２ｃは同時に前記被取付面５に当接させる事が可能であるため、前記両固着面２２ａ，２２ｃを前記交差部５３に沿って配置し、前記正面側ネジ挿通孔２３ａ，２３ａおよび前記側面側ネジ挿通孔２３ｂ，２３ｂに挿通させた止めネジ７１，７１，７１，７１を螺締することで前記第一固着面２２ａおよび前記第三固着面２２ｃを前記表面５１および前記側面５２に固定することができる。
【００４２】
図２（ｃ）のように２つの固着面とそれぞれ対応する止めネジで被取付面５に固定することで、いずれか１つの固着面と対応する止めネジを用いる図２（ａ）および図２（ｂ）の設置方法に比較して、交差する２方向に止めネジによる螺締が可能であって更に強固に汎用ブラケット１Ａを固定することが可能となる。
【００４３】
そして、支持部３に棒状の架設物６を戴置して前記支持部３に設けたネジ挿通孔３３に下面３２側から取付ビス７２を挿入して前記棒状の架設物６に螺締して固定することによって容易にかつ特に下方向への荷重に対して強固に棒状の架設物６を配置する事が可能となる。
【００４４】
なお、本明細書において被取付面５の表面５１または側面５２と称した箇所については、便宜上の名称であって設置の仕方は前述の方法のみに限られるものではない。
【００４５】
図３は図２（ｃ）に示した汎用ブラケット１Ａを被取付面５の表面５１および側面５２が略直角に交差する交差部５３に固着部２を固定し、支持部３に棒状の架設物６を固定した場合を示す断面図である。
【００４６】
図３に示すように、前記支持部３は、側面視Ｖ字形に凹んだフック状の形状として側面視Ｖ字形に凹んだ上面を支持面３１とした事によって、前記棒状の架設物６はその径が比較的細径である場合（６Ａ）でも、その径が比較的大径である場合（６Ｂ）でも、同様に２点間で保持する事ができるため幅広い形状の棒状の架設物６を使用する事ができ、汎用性に富む。
【００４７】
また、前記ネジ挿通孔３３の軸線上に前記棒状の架設物６が位置するため、前記ネジ挿通孔３３に下面３２側から取付ビス７２を挿通させ螺締して固定する上で適切な位置で固定が可能であって作業性に優れている。
【００４８】
図４乃至図６は図１に示した実施の形態における汎用ブラケット１Ａの使用状態を示す図である。
【００４９】
図４（ａ）のように、本実施の形態において前記支持部３は、側面視Ｖ字形に凹んだフック状の形状であるため、被取付面５に沿って同一の向きかつ所定の高さ位置に固定した２つ以上の汎用ブラケット１Ａ，１Ａの支持部３，３に棒状の架設物６を戴置するだけで棒状の架設物６を架設可能であり、例えば物干しに使用する場合など頻繁に取り外しを行う場合にはこの使用法が好ましい。
【００５０】
図４（ｂ）は、本実施の形態において取付ビス７２を使用せず、代わりに結束バンド７３を用いて棒状の架設物６を固定した状態を示す。本実施の形態において前記支持部３は、側面視Ｖ字形に凹んだフック状の形状であって、かつ比較的細径で四角柱状に形成されているため、図示したように結束バンド７３，７３を交差させて結束することで前記支持部３の角部を利用して前記結束バンド７３，７３のズレの発生を抑える事ができ、効果的に前記棒状の架設物６を固定する事ができる。
【００５１】
図４（ｃ）は、本実施の形態において、汎用ブラケット１Ａを被取付面５に設置した状態を示す。汎用ブラケット１Ａの前記支持部３は、側面視Ｖ字形に凹んだフック状の形状であるため、例えば手提げ袋９の手提げ紐９１を前記支持部３に引っ掛けて保持する事が可能であって、前記手提げ袋９が比較的重量があっても、汎用ブラケット１Ａは止めネジによって前記被取付面５に固定されている事から、脱落することなく安定して保持が可能である。
【００５２】
図５（ａ）は家屋の柱である被取付面５の側面５２，５２にそれぞれ汎用ブラケット１Ａの第二固着面２２ｂおよび汎用ブラケット１Ａの第三固着面２２ｃを沿わせて固定し、前記汎用ブラケット１Ａ，１Ａの支持部３，３に棒状の架設物６を固定した使用状態を示す図である。
【００５３】
図５（ｂ）は家屋の柱である被取付面５の側面５２，５２にそれぞれ汎用ブラケット１Ａの第三固着面２２ｃおよび汎用ブラケット１Ａの第二固着面２２ｂを沿わせて固定し、前記汎用ブラケット１Ａ，１Ａの支持部３，３に棒状の架設物６を固定した使用状態を示す図である。
【００５４】
この様に、汎用ブラケット１Ａの取り付けにあたっては取付場所である家屋の構造からより適切なものを施工者によって選択すれば良く、例えば壁面などの広い面積に取り付ける場合は勿論の事、柱の側面などの幅狭の突出部である被取付面に対しても止めネジのみによる簡易で強固な固定が可能であり、様々な使用方法が可能である。
【００５５】
図６は図１に示した実施の形態における汎用ブラケット１Ａの使用状態を示す図であり、家屋の窓枠である被取付面５の側面５２，５２に沿って同一の向きかつ所定の高さ位置にそれぞれ汎用ブラケット１Ａの第二固着面２２ｂおよび汎用ブラケット１Ａの第三固着面２２ｃを沿わせて固定した状態を示す。
【００５６】
この様に窓枠である被取付面５に汎用ブラケット１Ａ，１Ａを設置した場合、棒状の架設物６を固定してしまうと窓の開閉に支障を来たす可能性があるため、図４（ａ）に示したように棒状の架設物６を戴置して物干しとして用いるような使用法に適していると言えるが、もちろん取付ビス７２等を用いて棒状の架設物６を固定してしまってもよいし（図示せず）、架設物を用いずカーテンの保持などに用いてもよい（図示せず）。
【００５７】
図７は図１に示す実施の形態における汎用ブラケット１Ａを被取付面５に固定し、支持部３に板状の架設物８を固定した状態を示す断面図である。
【００５８】
図７に示すように前記支持部３は、側面視Ｖ字形に凹んだフック状の形状であって、かつ前記支持部３の先端３４と前記腕部の上面４１とが同一平面上に位置するため、板状の架設物８を前記支持部３の先端３４と前記腕部４の上面４１で支持する事で安定して戴置可能となる。
【００５９】
そして、戴置した板状の架設物８を前記支持部３に形成したネジ挿通孔３３に下面３２側から取付ビス７４を挿通させ、前記板状の架設物８に螺締することで脱落を防ぐ事ができる。
【００６０】
図８（ａ）は家屋の柱である被取付面５の側面５２，５２にそれぞれ汎用ブラケット１Ａの第二固着面２２ｂおよび汎用ブラケット１Ａの第三固着面２２ｃを沿わせて固定し、前記汎用ブラケット１Ａ，１Ａの支持部３，３に板状の架設物８を固定した使用状態を示す図である。
【００６１】
図８（ｂ）は家屋の柱である被取付面５の側面５２，５２にそれぞれ汎用ブラケット１Ａの第三固着面２２ｃおよび汎用ブラケット１Ａの第二固着面２２ｂを沿わせて固定し、前記汎用ブラケット１Ａ，１Ａの支持部３，３に板状の架設物８を固定した使用状態を示す図である。
【００６２】
この様に、汎用ブラケット１Ａの取り付けにあたっては取付場所である家屋の構造からより適切なものを施工者によって選択すれば良く、例えば壁面などの広い面積に取り付ける場合は勿論の事、柱の側面などの幅狭の突出部である被取付面に対しても止めネジのみによる簡易で強固な固定が可能であり、様々な使用方法が可能であって、板状の架設物８を略水平に配置・固定が出来るため、所望の場所に棚を設ける事も非常に容易である。
【００６３】
図９は本発明における汎用ブラケット１Ｂの支持部３を固着部２の軸線と直交方向にＶ字形に凹んだ形状としたものである。
【００６４】
図１０は図９に示す汎用ブラケット１Ｂの第一固着面２２ａおよび第三固着面２２ｃを用いて被取付面５に固定し、支持部３に棒状の架設物６を取り付けた状態を示す説明図である。
【００６５】
この汎用ブラケット１Ｂは図１に示した汎用ブラケット１Ａの取付方法（図２参照）と同様に例えば家屋の柱や窓枠などの幅狭の突出部である被取付面５に固着部２の各固着面２２ａ，２２ｂ，２２ｃから少なくとも１つを沿わせて配置して固定する事が可能であって、前記汎用ブラケット１Ａでは対応が困難だった、被取付面５が床面と平行な突出部である場合においても、支持部３によって下方から棒状の架設物６を保持しつつ取付ビス７２によって前記棒状の架設物６の脱落を防ぎ、かつ２方向から止めネジ７１，７１，７１，７１によって固着部２を固定が可能なため、十分な取付強度を発揮することができる。
【００６６】
このように図１に示した汎用ブラケット１Ａと図９に示した汎用ブラケット１Ｂを用いれば、被取付面５の形状によらず適切に設置する事が可能であって、多種のブラケットを用意する必要がなく非常に利便性が高い。
【００６７】
図１１は本発明の第２実施形態における汎用ブラケット１Ｃを示す図であり、この汎用ブラケット１Ｃは被取付面５に沿って当接して固定するための四角柱形状の固着部１０と、前記固着部１０から突設される先端に支持部３を形成した腕部４とからなり、前記固着部２、支持部３および腕部４は例えば金属や樹脂などにより一体的に形成されている。
【００６８】
前記固着部１０は、前記腕部４を突出させた突出面１０１の裏面を第一固着面１０２ａとし、前記突出面１０１の長辺に隣接する面を第二固着面１０２ｂ，第三固着面１０２ｃとする。
【００６９】
そして、前記固着部１０には前記突出面１０１から第一固着面１０２ａまで貫通し、前記突出面２１側が大径となる皿穴形状を有する１列に並んだ正面側ネジ挿通孔１０３ａ，１０３ａと、前記第二固着面２２ｂと対向する固着面である第三固着面１０２ｃを貫通し、前記第二固着面２２ｂおよび前記第三固着面１０２ｃ側がそれぞれ大径となる様に両端が皿穴形状を有する１列に並んだ側面側ネジ挿通孔１０３ｂ，１０３ｂとが形成されており、正面側ネジ挿通孔１０３ａ，１０３ａと側面側ネジ挿通孔１０３ｂ，１０３ｂは交差連通している。
【００７０】
この図１１に示す実施の形態である汎用ブラケット１Ｃは、前述のように正面側ネジ挿通孔１０３ａ，１０３ａと側面側ネジ挿通孔１０３ｂ，１０３ｂは交差連通するものとしたため、必要な高さが減少し、固着部２の長さＬ１を図１に示した実施の形態における固着部２の長さＬよりも短尺とする事が可能であって、全体としてより小型に形成することができるため、省資源で製造可能なだけでなく図１に示した実施の形態の汎用ブラケット１Ａよりも更に少ないスペースでの使用が可能であって、被取付面５の選択の幅を広げる事ができる。
【００７１】
図１２（ａ）は本発明の第３実施形態における汎用ブラケット１Ｄを示す図であり、この汎用ブラケット１Ｄは被取付面５に沿って当接して固定するための四角柱形状の固着部１４Ｄと、前記固着部１４Ｄの端部から突設される先端に支持部３を形成した腕部４とからなり、前記固着部１４Ｄ、支持部３および腕部４とは例えば金属や樹脂などにより一体的に形成されている。
【００７２】
前記固着部１４Ｄは、前記腕部４を突出させた突出面１４１Ｄの裏面を第一固着面１４２ａとし、前記突出面１４１Ｄの両長辺に隣接する両側面を第二固着面１４２ｂ，第三固着面１４２ｃとする。
【００７３】
前記固着部１４Ｄには前記突出面１４１Ｄから第一固着面１４２ａまで貫通し、前記突出面１４１Ｄ側が大径となる皿穴形状を有する正面側ネジ挿通孔１０３ａと、前記第二固着面１４２ｂと対向する固着面である第三固着面１４２ｃを貫通し、前記第二固着面１４２ｂ側および前記第三固着面１４２ｃ側がそれぞれ大径となる様に両端が皿穴形状を有する側面側ネジ挿通孔１０３ｂが形成されている。
【００７４】
図１２（ｂ）は本発明の第３実施形態における汎用ブラケット１Ｅを示す図であり、この汎用ブラケット１Ｅは被取付面５に沿って当接して固定するための四角柱形状の固着部１４Ｅと、前記固着部１４Ｅの端部から突設される先端に支持部３を形成した腕部４とからなり、前記固着部１４Ｅ、支持部３および腕部４とは例えば金属や樹脂などにより一体的に形成されている。
【００７５】
前記固着部１４Ｅは、前記腕部４を突出させた突出面１４１Ｅの裏面を第一固着面１４２ａとし、前記突出面１４１Ｅの両長辺に隣接する両側面を第二固着面１４２ｂ，第三固着面１４２ｃとする。
【００７６】
前記固着部１４Ｅには前記突出面１４１Ｅから第一固着面１４２ａまで貫通し、前記突出面１４１Ｄ側が大径となる皿穴形状を有する正面側ネジ挿通孔１０３ａと、前記第二固着面１４２ｂと対向する固着面である第三固着面１４２ｃを貫通し、前記第二固着面１４２ｂ側および前記第三固着面１４２ｃ側がそれぞれ大径となる様に両端が皿穴形状を有する側面側ネジ挿通孔１０３ｂが形成されている。
【００７７】
この汎用ブラケット１Ｄ，１Ｅは、前記汎用ブラケット１Ｃよりも更に固着部１４Ｄ，１４Ｅの長さＬ２，Ｌ３を短尺とする事が可能であるため、前記汎用ブラケット１Ｃよりも更に少ないスペースでの使用が可能であって、被取付面５の選択の幅を広げる事ができる。
【００７８】
図１３は本発明の第４実施形態における汎用ブラケット１Ｆを示す図であり、この汎用ブラケット１Ｆは被取付面５に沿って当接して固定するための四角柱形状の固着部１６と、前記固着部１６から突設される先端に支持部３を形成した腕部４とからなり、前記固着部１６、支持部３および腕部４は例えば金属や樹脂などにより一体的に形成されている。
【００７９】
前記固着部１６に先端に前記支持部３を有する前記腕部４が突出する突出面１６１，前記突出面１６１に対向する第一固着面１６２ａ、前記突出面１６１の長辺に隣接する第二固着面１６２ｂおよび第三固着面１６２ｃを有する。
【００８０】
この図１３に示す実施の形態における汎用ブラケット１Ｆの使用にあたっては、前記各固着面から少なくとも１つを選択し、被取付面５に対して例えば両面テープなどの任意の接着手段を用いて固定すればよい（図示せず）。
【００８１】
さらに、被取付面５が表面５１および側面５２が略直角に交差する交差部５３である場合は、前記交差部５３に沿って前記各固着面から２つを選択して前記接着手段によって双方を固定することで、より強固に固定する事が可能である（図示せず）。
【００８２】
図１４は本発明の第５実施形態を示す図であり、汎用ブラケット１Ｇの固着部１８が五角柱状であって、前記固着部１８に形成された第一固着面１８２ａおよび第二固着面１８２ｂを被取付面５の表面５１および側面５２の交差部５３に沿って配置、固定した状態を示すものである。
【００８３】
この図１４に示す実施の形態である汎用ブラケット１Ｇによれば、汎用ブラケット１Ａ，１Ｂ，１Ｃ，１Ｄ，１Ｅ，１Ｆでは対応ができなかった前記交差部５３において前記表面５１および前記側面５２から所定の距離離れた位置に支持部１９を位置させる事が可能であって、この支持部１９に棒状または板状の架設物を戴置、固定させる事によって、この様な交差部５３において利用しやすい位置に物掛けや棚などを設置する事ができる。勿論、単独で汎用ブラケット１Ｇを用いる場合であってもフックとして利用が可能であり、使用者の好みで選択可能である。
【００８４】
以上のように本発明によれば、柱体である固着部の外側面に形成された前記複数の固着面から、その内少なくとも１つの固着面を選択して被取付面に当接させて固着する構成とする事で１形状で多様な被取付面に対して適切な向きに設置可能とする事ができ、かつ表面にネジ頭が露出する構成としたため取付が容易であって、その上小型で細長に形成が可能なため柱の側面あるいは戸枠、窓枠の側面といった幅狭の突出部にも固着可能であり、また鋳造などの一体成型に適した形状として多量かつ安価に生産が可能な汎用ブラケットを提供する事を可能とした。
【符号の説明】
【００８５】
１Ａ，１Ｂ，１Ｃ，１Ｄ，１Ｅ，１Ｆ，１Ｇ  汎用ブラケット、２，１０，１２，１４Ｄ，１４Ｅ，１６，１８  固着部、３，１３，１９  支持部、４  腕部、５  被取付面、６  棒状の架設物、８  板状の架設物、９  手提げ袋、２１  突出面、２２ａ  第一固着面、２２ｂ  第二固着面、２２ｃ  第三固着面、２３ａ  正面側ネジ挿通孔、２３ｂ  側面側ネジ挿通孔、２４  空間、３１  支持面、３２  下面、３３  ネジ挿通孔、３４  先端、４１  上面、５１  表面、５２  側面、５３  交差部、７１  止めネジ、７２  取付ビス、７３  結束バンド、７４  取付ビス、９１  手提げ紐、１０１  突出面、１０２ａ  第一固着面、１０２ｂ  第二固着面、１０２ｃ  第三固着面、１０３ａ  正面側ネジ挿通孔、１０３ｂ  側面側ネジ挿通孔、１４１Ｄ  １４１Ｅ  突出面、１４２ａ  第一固着面、１４２ｂ  第二固着面、１４２ｃ  第三固着面、１６１  突出面、１６２ａ  第一固着面、１６２ｂ  第二固着面、１６２ｃ  第三固着面、１８２ａ  第一固着面、１８２ｂ  第二固着面
【図１】
2016180263.tif 000003
【図２】
2016180263.tif 000004
【図３】
2016180263.tif 000005
【図４】
2016180263.tif 000006
【図５】
2016180263.tif 000007
【図６】
2016180263.tif 000008
【図７】
2016180263.tif 000009
【図８】
2016180263.tif 000010
【図９】
2016180263.tif 000011
【図１０】
2016180263.tif 000012
【図１１】
2016180263.tif 000013
【図１２】
2016180263.tif 000014
【図１３】
2016180263.tif 000015
【図１４】
2016180263.tif 000016
【図１５】
2016180263.tif 000017
【図１６】
2016180263.tif 000018